(57)【要約】【課題】  自家用乗用車などの利用者、とりわけ女性ドライバーに乗用車の構造および整備内容をより具体的に理解させることができる整備教示モデルおよびその展示方法を提供する。【解決手段】  本発明の整備教示モデルＭは、自家用乗用車などの自家用乗り物の利用者に整備内容を教示する整備教示モデルＭであって、整備や点検が必要な個所、例えばエンジン１、タイヤ６やブレーキなどが観察できるようにされるとともに、部品やオイルなどが所定時間利用された物と新品とが並列させて展示されてなるものである。ここで、整備教示モデルＭは油汚れしないように処理がなされている。また、例えばディファレンシャルはガラス越しに観察できるようにされている。【選択図】  図１
2005114795.tif 000002
【特許請求の範囲】
【請求項１】
自家用乗用車などの自家用乗り物の利用者に整備内容を教示する整備教示モデルであって、
整備や点検が必要な個所が観察できるようにされるとともに、部品やオイルなどが所定時間利用された物と新品とが並列させて展示されてなることを特徴とする整備教示モデル。
【請求項２】
油汚れしないように処理がなされていることを特徴とする請求項１記載の整備教示モデル。
【請求項３】
ガラスや透明プラスチックを通して内部が観察できるようにされてなることを特徴とする請求項２記載の整備教示モデル。
【請求項４】
ディファレンシャルカットモデルが観察できるようにされてなることを特徴とする請求項３記載の整備教示モデル。
【請求項５】
展示される部品にエンジンモデル、エアフィルター、タイミングベルト、タイヤが含まれていることを特徴とする請求項１記載の整備教示モデル。
【請求項６】
展示棚やラックが設けられていることを特徴とする請求項１記載の整備教示モデル。
【請求項７】
請求項１ないし請求項６のいずれか一項に記載の整備教示モデルの展示方法であって、
前記教示モデルを整備工場の受付に配置することを特徴とする整備教示モデルの展示方法。
【請求項８】
受け付けがショウルームのようにデザインされていることを特徴とする請求項７記載の整備教示モデルの展示方法。
【発明の詳細な説明】
【技術分野】
【０００１】
本発明は整備教示モデルおよびその展示方法に関する。さらに詳しくは、整備の内容をより具体的にユーザーに理解させるための整備教示モデルおよびその展示方法に関する。
【背景技術】
【０００２】
自家用乗用車は、別名マイカーと呼ばれるように、ほとんどの家庭で所有され利用されている。このような状況になると、ほとんどの自家用乗用車の利用者、いわゆるマイカー族は、その構造およびその各部品の疲労状況に頓着することくマイカーを利用しているのが実情である。このことは、女性ドライバーの増加により一層顕著になってきている。
【０００３】
そのため、ある日突然にマイカーが動かなくなるという事態に遭遇し、あわてて自動車整備工場などに修理を依頼するということになる。
【０００４】
このような状況を招来しているのは、単にマイカー族の無関心だけが原因ではなく、自動車整備工場にも一因があるものと考えられる。というのは、自動車整備工場は薄暗く、しかも油で汚れた部品や修理道具などが床に所狭しと置かれているのが現状であり、その上悪いことに、そのようなイメージが広くドライバーに浸透している。そのような場所は、着飾った女性ドライバーには嫌悪すべき場所と映る。ブランド物の服が油で汚れでもしたらそれこそ一大事である。
【発明の開示】
【発明が解決しようとする課題】
【０００５】
本発明はかかる従来技術の課題に鑑みなされたものであって、自家用乗用車などの利用者、とりわけ女性ドライバーに乗用車の構造および整備内容をより具体的に理解させることができる整備教示モデルおよびその展示方法を提供することを目的としている。
【課題を解決するための手段】
【０００６】
本発明の整備教示モデルは、自家用乗用車などの自家用乗り物の利用者に整備内容を教示する整備教示モデルであって、整備や点検が必要な個所が観察できるようにされるとともに、部品やオイルなどが所定時間利用された物と新品とが並列させて展示されてなることを特徴とする。
【０００７】
本発明の整備教示モデルにおいては、油汚れしないように処理がなされているのが好ましい。
【０００８】
また、本発明の整備教示モデルにおいては、ガラスや透明プラスチックを通して内部が観察できるようにされてなるのが好ましい。例えば、ディファレンシャルカットモデルが観察できるようにされている。
【０００９】
さらに、本発明の整備教示モデルにおいては、展示される部品にエンジンモデル、エアフィルター、タイミングベルト、タイヤが含まれているのが好ましい。
【００１０】
さらに、本発明の整備教示モデルにおいては、展示棚やラックが設けられているのが好ましい。
【００１１】
一方、本発明の整備教示モデルの展示方法は、前記のいずれかに記載の整備教示モデルの展示方法であって、前記教示モデルを整備工場の受付に配置することを特徴とする。
【００１２】
本発明の整備教示モデルの展示方法においては、受け付けがショウルームのようにデザインされているのが好ましい。
【発明の効果】
【００１３】
本発明によれば、整備・点検の必要性を女性ドライバーなどに理解してもらった上、整備・点検の依頼がなされるので、それに対する信頼性が向上するとともに、予防整備などに対する理解も得られるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
本発明の一実施形態に係る整備教示モデルを図１〜図３に斜視図で示す。
【００１６】
整備教示モデルＭは、図１〜図３に示すように、本物の自動車を内部構造、とりわけ点検整備に関する部分が観察できるようにしてなるものである。また、来店した顧客、つまり整備を依頼したドライバーなどを油汚れから防ぐため、整備教示モデルＭの金属面は脱脂処理がなされた後に、透明ラッカーなどにより防錆処理がさなれている。
【００１７】
以下、整備教示モデルＭをより具体的に説明する。この実施形態では整備教示モデルＭにいわゆるツーボックスカーが用いられている。なお、整備教示モデルＭはツーボックスカーに限定されるものではなく、各種タイプの自動車とすることができ、例えばワンボックスカー、スリーボックスカーとすることができる。
【００１８】
まず、前部のエンジンルームＥＲについて説明する。
【００１９】
エンジンルームＥＲは、図１に示すように、ボンネット、フェンダー、フロントカバー、バンパーなどが撤去されて、エンジン１、ラジエータ２などが観察できるようにされている。この観察を助けるため、エンジンルーム内ＥＲの適宜位置に照明３が設けられている。
【００２０】
ラジエータ２は半分が切除されて、その内部構造が観察できるようにされるとともに、それによりエンジン１正面、エンジン１回り、バンパー支持機構などが観察できるようにされている。このラジエータ２の切断面は、脱脂処理および防錆処理かなされている。
【００２１】
ボンネットが除去されて開放されたエンジンルームＥＲの上方適宜位置には、展示棚(ラック)４が設けられて、エンジンルームＥＲに関係する部品が展示されてその理解の一助となしている。その場合、所定時間使用されて磨耗や損傷した部品と、新品とを並列的に展示するのが、定期点検や予防整備の必要性をドライバーなどに理解させる点から好ましい。例えば、所定時間利用されたバッテリ５と、新品のバッテリ５とが並列させて展示される。
【００２２】
前輪の一方はタイヤ６が装着されたままとされる一方、他方はタイヤ６が外された状態とされている。これにより、前輪回りの構造の理解が促進される。例えば、ディスクブレーキの構造の理解が促進されて、重要部品例えばブレーキパッドの交換の重要性が理解される。
【００２３】
次に、後部のキャビンおよび荷物室ＣＡについて説明する。
【００２４】
キャビンおよび荷物室ＣＡは、図２および図３に示すように、天井、リアウインドウ、サイドパネル、シート、助手席側のドアなどが除去されて、片側から内部が覗けるようにされている。例えば、一部が切除されて内部構造がわかるようにされたエアコンＣが観察できるようにされている。
【００２５】
このシートなどが除去されたキャビンおよび荷物室ＣＡには、内部構造の観察を妨げないようにして、ドアなどが除去されて開放された面に向けた展示棚１１、１１、１１、・・・が適宜設けられている。例えば、助手席位置の床には第１棚１１Ａが設けられ、第１棚１１Ａより若干上に位置させて助手席位置から後部座席近傍にかけて第２棚１１Ｂが架け渡され、後部座席の若干上方に位置させて第３棚１１Ｃが設けられ、後部車輪カバー上に第４棚１１Ｄなどが設けられている。また、この棚１１を支持している支柱１１ａを利用してラック１２も適宜設けられている。この棚１１にも適宜照明１３が設けられている。
【００２６】
これらの棚１１やラック１２には、エンジン１を切断あるいは分解してその内部構造の理解に供するエンジンモデル、エアフィルター(所定時間利用されたものと新品)、エアコンフィルター(所定時間利用されたものと新品)、タイミングベルト(所定時間利用されたものと新品)、ファンベルト(所定時間利用されたものと新品)、オイルエレメント(所定時間利用されたものと新品)、ワイパーブレード(所定時間利用されたものと新品)、ディスクパッド(所定時間利用されたものと新品)、ディスクローター(所定時間利用されたものと新品)、ＡＴＦオイル(所定時間利用されたものと新品)、ギアオイル(所定時間利用されたものと新品)、ＬＬＣ (所定時間利用されたものと新品)などが展示されている。この場合、エンジンモデルの断面には透明なプラスチックなどが貼付されているのが、顧客が油汚れを気にすることなくエンジンモデルを観察できる点から好ましい。
【００２７】
荷物室のディファレンシャルのある部分は切欠かれてその上にガラスが配置され、ディファレンシャルカットモデルを顧客が油汚れを気にすることなく観察できるようにされている。
【００２８】
窓部が除去された運手者側のサイドパネルには、スリップサインが出ているタイヤモデル１４と新品のタイヤモデル１４とが並列させて展示されている。
【００２９】
しかして、このように構成された整備教示モデルＭはショールームのようにデザインされた整備工場の受け付けに展示される。そのため、女性ドライバーでも衣服の油汚れを気にすることなく、気軽に整備や点検の依頼に訪れることができる。また、交換部品の実物が、所定時間使用されて磨耗・損傷した物と新品とが並列させて展示されているので、ドライバー、とりわけ女性ドライバーに整備・点検の必要性を納得してもらった上で、整備・点検の依頼がなされることになる。そのため、整備・点検への理解および信頼性が向上する。それにより、予防整備に対する理解も得られる。
【００３０】
以上、本発明を実施形態に基づいて説明してきたが、本発明はかかる実施形態に限定されるものではなく、大衆に普及している整備・点検が必要な各種乗り物に適用でき、例えばプレジャーボートにも適用できる。
【産業上の利用可能性】
【００３１】
本発明は整備・点検が必要される大衆に普及している各種乗り物に適用できる。
【図面の簡単な説明】
【００３２】
【図１】本発明の一実施形態に係る整備教示モデルの斜め前方から見た斜視図である。
【図２】同側面から見た斜視図である。
【図３】同斜め後方から見た斜視図である。
【符号の説明】
【００３３】
１      エンジン
２      ラジエータ
３      照明
４      展示棚、ラック
５      バッテリ
６      タイヤ
１１      棚
１２      ラック
１３      照明
１４      タイヤモデル
Ｍ      整備教示モデル
Ｃ      エアコン
ＣＡ      キャビンおよび荷物室
ＥＲ      エンジンルーム
【図１】
2005114795.tif 000003
【図２】
2005114795.tif 000004
【図３】
2005114795.tif 000005